(57)【要約】      （修正有）【課題】長時間のデスクワークやスマホ等で椅子を使用する場合、疲れを軽減し、リラックスする為の健康チェアを提供する。【解決手段】健康チェアは、脚１、片側支持のスタンド２、昇降自在固定ができる機構を備えた肘掛け３、座面４、吊元フック、チューブ、連結金具から成る椅子であり、肘掛け３先端に設けた吊元フックを吊点に、弾性体円形管状のチューブにより摺動自在に吊り下げた座面４に腰掛けた人が、つま先を立て下ろしや、腰掛ける位置や姿勢で体の重心が移動することにより、座面４が遊動自在及び傾き自在に動き、体がリラックスする。【選択図】図１
0003228969.tif 000002
【実用新案登録請求の範囲】
【請求項１】
人が腰掛ける椅子において、片側支持のスタンド２と、前記スタンド２に沿って昇降自在固定ができる機構を備えた肘掛け３と、前記肘掛け３に設けた吊元フック５を吊点に、弾性体円形管状のチューブ６a、６bの中央部で摺動自在に吊り下げた、前記チューブ６a、６b端部を座面４の端部左右２ヶ所に固定した物から成る本発明の健康チェアであって、人が腰掛ける位置や姿勢により、前記吊元フック５を起点に前記座面４が遊動自在及び傾き自在に動くことを特徴とする健康チェア。
【請求項２】
請求項１記載の健康チェアにおいて、前記座面４が分割の板で構成され、各々を弾性体円形管状の屈曲チューブ４aで屈曲自在に連結し、弾性体のパイプ４bにより屈曲角度を制限したことを特徴とする請求項１記載の健康チェア。
【考案の詳細な説明】
【技術分野】
【０００１】
本考案は、人が腰掛ける椅子に関するものである。
【背景技術】
【０００２】
従来の椅子には、例えば脚体に固定の肩幅程の背もたれと肘掛け座面と４点固定の吊り具からなるスイング椅子が特許文献１で開示されている。
【先行技術文献】
【特許文献】
【０００３】
【特許文献１】特開２００６−３４１０４２
【考案の概要】
【考案が解決しようとする課題】
【０００４】
一般的な椅子は、長時間のデスクワークやスマホ等で椅子を使用する場合、同じ姿勢で座っていると、耳の中の内耳にある耳石が動かないことに因る次のような障害を及ぼす研究結果がある、１時間座ると寿命が２２分縮む、がんのリスクが高くなる、骨密度の低下、代謝異常、認知機能の低下、循環機能の低下等々様々な悪影響を体に及ぼす。
【０００５】
例えば、体に安らぎを与える椅子として、特許文献１によれば、高さが固定された肘掛けに４点固定の吊り具を設け、吊り下げた座面に腰掛けた利用者が座面を緩やかに前後に揺するスイング椅子が公開されている。
【０００６】
しかしながら座面を吊るす吊点が４ヶ所であるため前後に平行に揺らすことはできるが、座面傾けることができない。
【０００７】
また、肘掛け下の脚が座面左右にあり座面を揺らす方向は前後に限定されてしまい体の揺らすり効果が少ない。
【０００８】
また、座面の高さを上下できない構造であるため、目的に合わせた高さが確保できないことや、気分に合わせて即座に高さを変えることができない。  
【０００９】
また、背もたれ幅が肩幅程の広さがあり、肘掛けに肘を付けて座った姿勢で胸を張ることができない。
【００１０】
本考案の目的は、デスクワークや長時間椅子に座る場合に、疲れを軽減リラックスする為の健康チェアを提供することにある。
【課題を解決するための手段】
【００１１】
上記課題を解決するための請求項１に係る発明は、座面４を遊動自在動くために片側支持のスタンド２を支える脚１と、前記片側支持のスタンド２に沿って昇降自在固定ができる機構を備えた肘掛け３と、前記肘掛け３に設けた吊元フック５を吊点に、弾性体円形管状のチューブ６a、６bの中央部で摺動自在に吊り下げた、前記チューブ６a、６b端部を座面４の端部左右２ヶ所に固定し、人が腰掛ける位置や姿勢により、前記吊元フック５を起点に前記座面４が遊動自在及び傾き自在に移動することを可能とする。
【００１２】
上記片側支持のスタンド２は、たわみも目的とした片側支持構造で、スタンド２は、座面４に人が腰掛けると下へたわむクッションも兼ね備えた構造とする。
【００１３】
またスタンド２は、背もたれも兼ね備えてその幅は人の肩甲骨左右間より狭い形状とする。
【００１４】
上記肘掛け３は片側支持先端に吊元フック部５を設け、座面４が遊動しても接触しない構造とし、吊元フック５に弾性体円形管状のチューブ６を通し、摺動自在弾性体円形管状のチューブ６a及び６bの長さを移動可能とする。
【００１５】
上記弾性体円形管状のチューブ６は、座面４に人が腰掛けると下へたわむクッション性があり且つ引張強度を要し、表面が滑りにくい材質を用いる。
【００１６】
請求項２記載の本考案は、前記座面４が分割の板で構成され、各々を弾性体円形管状の屈曲チューブ４aで屈曲自在に連結し、また弾性体のパイプ４bにより屈曲範囲を制限し、人が腰掛ける位置や姿勢に応じて屈曲可能とする。
【考案の効果】
【００１７】
本考案に係る健康チェアによれば、デスクワーク等、好みな高さに座面の位置を、肘掛けで上下調節ができ、座面に腰掛けて、つま先を立てから下ろし運動の繰り返しや、腰掛ける位置や姿勢で体の重心が移動することにより、体が傾き、耳内部の耳石が動き、心地よさが感じられ、デスクワークや長時間座っていても疲れが軽減される。
【００１８】
また、上記運動を繰り返すことにより、脹脛の血行が良くなり、エコノミック症候群予防効果が期待できる。
【００１９】
また、肘掛けに腕を乗せ、背もたれにもたれると、胸を張る姿勢になることで、ねこ背解消効果が期待される。
【００２０】
また、座面が前後に倒れることから、腰をひねる骨盤体操がスムーズに行え、スマホネック解消効果が期待される。
【００２１】
気分転換に高さを変えたり、座る位置を前後に変えたりすることで、揺動角度や動きが変わりリラックス効果が高まる。
【００２２】
また、就寝前に本考案の健康チェアにしばらく座ると、眠気を引き起こしスムーズな就寝に付ける効果が期待される。
【図面の簡単な説明】
【００２３】
【図１】本考案の実施例に係る全体斜視図である。
【図２】本考案の実施例に係る全体正面図である。
【図３】本考案の実施例に係る全体側面図である。
【図４】本考案の一部実施例に係る全体側面図である。
【図５】本考案の一部側面図である。
【図６】本考案の一部実施例に係る側面図である。
【図７】本考案の一部実施例に係る全体側面図である。
【考案を実施するための形態】
【００２４】
以下に図示の実施例に基づいて、本考案を更に詳細に説明する。図１、図２、図３、図４は本考案に基づく実施例での全体を示す図で、チェア本体の脚１は木材製から成り座面４が遊動自在に動いても倒れない程の幅を有するもので、スタンド２を垂直からやや斜めに片持ち支持で固定し、設置面には移動を想定した、キズ防止スライドパッド１aを前後左右に４か所設ける、脚１及びスタンド２の素材は本考案で特定するものではない。
【００２５】
脚１に片持ち支持で固定されたスタンド２は、材質の許容範囲内でたわむ材料を用い、持運び易い軽い材質を用いる。
【００２６】
スタンド２の外周には背当てクッション９を設け、昇降自在肘掛け３の高さに合わせスタンド２に平行に上下移動を可能とする。
【００２７】
昇降自在肘掛け３は２対の肘掛けを一体結合し、図５に示すようにスタンド２を囲い込むようにコの字形連結金具７をボルトで固定し、コの字形連結金具７はスタンド２外径よりやや大きめの形状をしておりその間には摩擦板８を挟み、昇降自在肘掛け３先端の自重によりくさび効果により摩擦ロック状態が保たれ、先端を手で持ち上げるとロックが解除され自在に上下することを可能にする。
【００２８】
昇降自在肘掛け３先端に設けた吊元フック５は、金属丸鋼Ｕ形状をしており、その中央にチューブ６を通し吊り下げ構造とする、円形状のチューブ６の材質はクッション性があり且つ引張強度を要し、表面が滑りにくい材質を用いる。
【００２９】
また図６及び図７に示すように、吊元フック５を中心にチューブ６a、６bの長さを自在に変え摩擦により保持することで座面４の角度傾けることを可能にする。
【００３０】
座面４は３枚の板形状の物からなり、各々を円形状のチューブ６と同じ材質のクッション性があり且つ引張強度を要し、表面が滑りにくい屈曲チューブ４aを用い、屈曲自在に縫うように連結し、下面には２対の弾性を有する弾性体パイプ４bを設け、人が座面４に腰掛けると３枚の板の連結部が屈曲自在に動く構造とする。
【００３１】
更に座面４上に座クッション９aを設け更に座り心地を良くする。
【産業上の利用可能性】
【００３２】
本考案の健康チェアによれば、オフィスや家庭でのデスクワークや寛ぎを目的とした椅子、幅広い利用が期待できる。
【符号の説明】
【００３３】
１  脚
１aキズ防止スライドパッド
２  スタンド
３  昇降自在肘掛け
４  座面
４a屈曲チューブ
４ｂ弾性体パイプ
５  吊元フック
６  チューブ
７  連結金具
８  摩擦板
９  背当てクッション
９a座クッション
【図１】
0003228969.tif 000003
【図２】
0003228969.tif 000004
【図３】
0003228969.tif 000005
【図４】
0003228969.tif 000006
【図５】
0003228969.tif 000007
【図６】
0003228969.tif 000008
【図７】
0003228969.tif 000009